(57)【要約】【課題】本発明は、安定的なアドレス放電を形成できるプラズマディスプレイ装置を提供する。【解決手段】本発明は、スキャン電極、サステイン電極、第１のアドレス電極、及び第２のアドレス電極を含むプラズマディスプレイパネルと、リセット期間とアドレス期間において、パルスを前記スキャン電極に供給するスキャン駆動部と、前記第１のアドレス電極と前記第２のアドレス電極とに互いに異なる時点でデータパルスを供給するデータ駆動部とを備えることを特徴とする。【選択図】図１
2007183648.tif 000002
【特許請求の範囲】
【請求項１】
スキャン電極、サステイン電極、第１のアドレス電極、及び第２のアドレス電極を含むプラズマディスプレイパネルと、
リセット期間とアドレス期間においてパルスを前記スキャン電極に供給するスキャン駆動部と、
前記第１のアドレス電極と前記第２のアドレス電極とに互いに異なる時点でデータパルスを供給するデータ駆動部と、
を備えるプラズマディスプレイ装置。
【請求項２】
前記パルスは、第１の電圧から負極性の第２の電圧まで立ち下がる第１の立ち下がりパルスであり、
前記第１の立ち下がりパルスが供給されるとき、正極性の第５の電圧を前記サステイン電極に供給するサステイン駆動部を更に備えることを特徴とする請求項１に記載のプラズマディスプレイ装置。
【請求項３】
前記パルスは、第１の電圧から負極性の第２の電圧まで立ち下がる第１の立ち下がりパルスであり、
前記スキャン駆動部は、
前記第１の立ち下がりパルスが供給された後、第３の電圧から第４の電圧まで次第に立ち上がる第１の立ち上がりパルスを前記スキャン電極に供給することを特徴とする請求項１に記載のプラズマディスプレイ装置。
【請求項４】
前記スキャン駆動部は、
前記第１の立ち下がりパルスが供給された後、第３の電圧から第４の電圧まで次第に立ち上がる第１の立ち上がりパルスを前記スキャン電極に供給し、
前記第１の立ち下がりパルスが供給される間、前記サステイン電極に前記第５の電圧を供給し、前記第１の立ち上がりパルスが供給される間、第６の電圧を前記サステイン電極に供給するサステイン駆動部を更に備え、
前記第５の電圧のレベルは、前記第６の電圧のレベルより高いことを特徴とする請求項２に記載のプラズマディスプレイ装置。
【請求項５】
前記パルスは、第１の電圧から負極性の第２の電圧まで立ち下がる第１の立ち下がりパルスであり、
前記スキャン駆動部は、
前記第１の立ち下がりパルスが供給された後、第３の電圧から第４の電圧まで次第に立ち上がる第１の立ち上がりパルスと前記アドレス期間にスキャン基準電圧を前記スキャン電極に供給し、
前記第３の電圧のレベルは、前記スキャン基準電圧のレベルと実質的に同じであることを特徴とする請求項１に記載のプラズマディスプレイ装置。
【請求項６】
前記パルスは、第７の電圧から第８の電圧まで立ち上がる第３の立ち上がりパルスであることを特徴とする請求項１に記載のプラズマディスプレイ装置。
【請求項７】
前記パルスは、第７の電圧から第８の電圧まで立ち上がる第３の立ち上がりパルスであり、
前記スキャン駆動部は、前記第３の立ち上がりパルスを供給した後、第９の電圧から第１０の電圧まで立ち下がる第２の立ち下がりパルスを前記スキャン電極に供給することを特徴とする請求項１に記載のプラズマディスプレイ装置。
【請求項８】
前記パルスは、第７の電圧から第８の電圧まで立ち上がる第３の立ち上がりパルスであり、
前記スキャン駆動部は、前記アドレス期間にスキャン基準電圧を前記スキャン電極に供給し、
前記第７の電圧のレベルは、前記スキャン基準電圧のレベルと実質的に同じであることを特徴とする請求項１に記載のプラズマディスプレイ装置。
【請求項９】
前記パルスは、第７の電圧から第８の電圧まで立ち上がる第３の立ち上がりパルスであり、
前記スキャン駆動部は、前記サステイン期間にサステインパルスを前記スキャン電極に供給し、
前記第８の電圧のレベルは、前記サステインパルスの最高電圧のレベルと実質的に同じであることを特徴とする請求項１に記載のプラズマディスプレイ装置。
【請求項１０】
前記パルスは、第７の電圧から第８の電圧まで立ち上がる第３の立ち上がりパルスであり、
前記スキャン駆動部は、前記第３の立ち上がりパルスを供給した後、第９の電圧から第１０の電圧まで立ち下がる第２の立ち下がりパルスと、前記アドレス期間にスキャンパルスを前記スキャン電極に供給し、
前記第２の立ち下がりパルスの幅は、前記スキャンパルスの幅と実質的に同じであるか、又は大きいことを特徴とする請求項１に記載のプラズマディスプレイ装置。
【発明の詳細な説明】
【技術分野】
【０００１】
本発明は、プラズマディスプレイ装置に関する。
【背景技術】
【０００２】
一般に、プラズマディスプレイ装置（Plasma Display Apparatus）は、プラズマディスプレイパネルとプラズマディスプレイパネルの電極に駆動信号を印加するための駆動部とを含む。
【０００３】
プラズマディスプレイパネルは、前面基板と後面基板との間に形成された隔壁が一つの単位セルをなすが、各セル内には、ネオン（Ｎｅ）、ヘリウム（Ｈｅ）、若しくは、ネオン及びヘリウムの混合気体（Ｎｅ＋Ｈｅ）のような主放電気体と少量のキセノンを含有する不活性ガスとが充填されている。
【０００４】
高周波電圧が電極に供給されて放電が起こるとき、不活性ガスは真空紫外線（Vacuum Ultraviolet rays）を発生し、隔壁間に形成された蛍光体を発光させて画像が実現される。プラズマディスプレイ装置は、薄く、且つ、軽い構成が可能であるため、次世代の表示装置として脚光を浴びている。
【０００５】
プラズマディスプレイ装置の駆動部がプラズマディスプレイパネルの電極に駆動信号を供給すると、プラズマディスプレイパネルの電極上に壁電荷が形成される。当該壁電荷によって形成された壁電圧と外部から電極に供給された電圧とによって画像が表示される。
【０００６】
しかしながら、プラズマディスプレイパネルの電極上に形成された壁電荷の量が足りないか、又は多くなると、外部から電圧が供給されても、放電セルを選択するためのアドレッシング放電や画像を表示するためのサステイン放電が起こらない場合がある。
【発明の開示】
【発明が解決しようとする課題】
【０００７】
本発明は、安定的なアドレス放電を形成できるプラズマディスプレイ装置を提供するためのものである。
【０００８】
本発明のプラズマディスプレイ装置は、安定的なアドレス放電を形成して輝点の誤放電を防止する。
【０００９】
本発明のプラズマディスプレイ装置は、データパルスによって発生するノイズを減少させ、アドレス期間のスキャンパルスとデータパルスとの幅を調整して高速駆動が可能である。
【課題を解決するための手段】
【００１０】
本発明の実施形態に係るプラズマディスプレイ装置は、スキャン電極、サステイン電極、第１のアドレス電極、及び第２のアドレス電極を含むプラズマディスプレイパネルと、リセット期間とアドレス期間においてパルスを前記スキャン電極に供給するスキャン駆動部と、前記第１のアドレス電極と前記第２のアドレス電極とに互いに異なる時点でデータパルスを供給するデータ駆動部とを備える。
【００１１】
また、前記パルスは、第１の電圧から負極性の第２の電圧まで立ち下がる第１の立ち下がりパルスであり、前記第１の立ち下がりパルスが供給されるとき、正極性の第５の電圧を前記サステイン電極に供給するサステイン駆動部を更に備えることを特徴とする。
【００１２】
さらに、前記スキャン駆動部は、前記第１の立ち下がりパルスが供給された後、前記第３の電圧から前記第４の電圧まで次第に立ち上がる第１の立ち上がりパルスを前記スキャン電極に供給し、前記第１の立ち下がりパルスが供給される間、前記サステイン電極に第５の電圧を供給し、前記第１の立ち上がりパルスが供給される間、第６の電圧を前記サステイン電極に供給するサステイン駆動部を更に備え、前記第５の電圧のレベルは、前記第６の電圧のレベルより高いことを特徴とする。
【００１３】
また、前記パルスは、第１の電圧から負極性の第２の電圧まで立ち下がる第１の立ち下がりパルスであり、前記スキャン駆動部は、前記第１の立ち下がりパルスが供給された後、第３の電圧から第４の電圧まで次第に立ち上がる第１の立ち上がりパルスを前記スキャン電極に供給することを特徴とする。
【００１４】
また、前記パルスは、第１の電圧から負極性の第２の電圧まで立ち下がる第１の立ち下がりパルスであり、前記スキャン駆動部は、前記第１の立ち下がりパルスが供給された後、第３の電圧から第４の電圧まで次第に立ち上がる第１の立ち上がりパルスと前記アドレス期間にスキャン基準電圧を前記スキャン電極に供給し、前記第３の電圧のレベルは、前記スキャン基準電圧のレベルと実質的に同じであることを特徴とする。
【００１５】
また、前記パルスは、第７の電圧から第８の電圧まで立ち上がる第３の立ち上がりパルスであることを特徴とする。
【００１６】
また、前記パルスは、第７の電圧から第８の電圧まで立ち上がる第３の立ち上がりパルスであり、前記スキャン駆動部は、前記第３の立ち上がりパルスを供給した後、第９の電圧から第１０の電圧まで立ち下がる第２の立ち下がりパルスを前記スキャン電極に供給することを特徴とする。
【００１７】
また、前記パルスは、第７の電圧から第８の電圧まで立ち上がる第３の立ち上がりパルスであり、前記スキャン駆動部は、前記アドレス期間にスキャン基準電圧を前記スキャン電極に供給し、前記第７の電圧のレベルは、前記スキャン基準電圧のレベルと実質的に同じであることを特徴とする。
【００１８】
また、前記パルスは、第７の電圧から第８の電圧まで立ち上がる第３の立ち上がりパルスであり、前記スキャン駆動部は、前記サステイン期間にサステインパルスを前記スキャン電極に供給し、前記第８の電圧のレベルは、前記サステインパルスの最高電圧のレベルと実質的に同じであることを特徴とする。
【００１９】
また、前記パルスは、第７の電圧から第８の電圧まで立ち上がる第３の立ち上がりパルスであり、前記スキャン駆動部は、前記第３の立ち上がりパルスを供給した後、第９の電圧から第１０の電圧まで立ち下がる第２の立ち下がりパルスと、前記アドレス期間にスキャンパルスを前記スキャン電極に供給し、前記第２の立ち下がりパルスの幅は、前記スキャンパルスの幅と実質的に同じであるか、又は大きいことを特徴とする。
【発明の効果】
【００２０】
本発明によれば、データパルスによって発生するノイズを減少させ、アドレス期間におけるスキャンパルスとデータパルスとの幅を調整して高速駆動が可能である。
【発明を実施するための最良の形態】
【００２１】
以下、添付された図面を参照して本発明の好ましい実施形態をさらに詳細に説明する。
【００２２】
図１に示された本発明の第１の実施形態に係るプラズマディスプレイ装置は、プラズマディスプレイパネル１００、スキャン駆動部１１０、サステイン駆動部１２０、駆動パルス制御部１３０、及び駆動電圧発生部１４０、並びにデータ駆動部１５０を備える。
【００２３】
スキャン駆動部１１０は、リセット期間とアドレス期間との間にパルスをスキャン電極に供給する。例えば、スキャン駆動部１１０は、リセット期間及びアドレス期間との間に第１の電圧から負極性の第２の電圧まで立ち下がる立ち下がりパルスと第３の電圧から正極性の第４の電圧まで立ち上がる第１の立ち上がりパルスとをスキャン電極Ｙ１ないしＹｎに供給することができる。スキャン駆動部１１０は、リセット期間とアドレス期間との間に立ち下がりパルスのみを供給することができ、立ち下がりパルス及び第１の立ち上がりパルスを順次供給することもできる。スキャン駆動部１１０は、第７の電圧から第８の電圧まで立ち上がる第３の立ち上がりパルスと第９の電圧から第１０の電圧まで立ち下がる第２の立ち下がりパルスとをスキャン電極Ｙ１ないしＹｎに供給することができる。
【００２４】
スキャン駆動部１１０は、アドレス期間以後のサステイン期間においてサステインパルスをスキャン電極Ｙ１ないしＹｎに供給する。
【００２５】
第１の立ち下がりパルス及び第２の立ち下がりパルスは、プラズマディスプレイパネルの放電セルのアドレス電極Ｘ１ないしＸｎに過渡に蓄積されている壁電荷を消去するためのものである。第１の立ち上がりパルス及び第３の立ち上がりパルスは、スキャン電極Ｙ１ないしＹｎとサステイン電極Ｚとに過渡に蓄積されている壁電荷を消去するためのものである。
【００２６】
サステイン駆動部１２０は、第１の立ち下がりパルスが供給されるとき、正極性の第５の電圧をサステイン電極Ｚに供給したり、第２の立ち下がりパルスが供給されるとき、グラウンドレベルの電圧をサステイン電極Ｚに供給したりする。サステイン駆動部１２０は、アドレス期間にバイアス電圧Ｖｚをサステイン電極Ｚに供給する。サステイン駆動部１２０は、アドレス期間以後のサステイン期間において、スキャン駆動部１１０が供給したサステインパルスと交番されるように、サステインパルスをサステイン電極Ｚに供給する。Ｖｓは、サステインパルスの最高電圧である。
【００２７】
スキャン駆動部１１０は、アドレス期間にスキャン基準電圧−Ｖｓｃ１又はＶｓｃ２とスキャンパルスとを供給する。−Ｖｗは、スキャンパルスの最低電圧である。
【００２８】
データ駆動部１５０は、第１のアドレス電極と第２のアドレス電極とに互いに異なる時点でデータパルスを供給する。第１のアドレス電極と第２のアドレス電極とは、図１の全アドレス電極Ｘ１ないしＸｍのうち、互いに異なる二つのアドレス電極である。Ｖａは、データパルスの最高電圧である。
【００２９】
駆動パルス制御部１３０は、プラズマディスプレイパネル１００を駆動する際、スキャン駆動部１１０、サステイン駆動部１２０、及びデータ駆動部１５０を制御する。すなわち、駆動パルス制御部１３０は、上述のようなリセット期間、アドレス期間、サステイン期間にスキャン駆動部１１０、サステイン駆動部１２０、及びデータ駆動部１５０の動作タイミングと同期化を制御するためのタイミング制御信号ＣＴＲＸ、ＣＴＲＹ、ＣＴＲＺを生成する。
【００３０】
駆動電圧発生部１６０は、駆動パルス制御部１３０と各々の駆動部１１０、１２０、１５０に必要な駆動電圧−Ｖｓｃ１又はＶｓｃ２、Ｖｓ、Ｖａ、−Ｖｗ、Ｖｚを供給する。
【００３１】
図２の本発明の実施形態に係るプラズマディスプレイ装置のプラズマディスプレイパネル１００は、前面パネルＦＰと後面パネルＲＰとを備える。
【００３２】
前面パネルＦＰの前面基板１０１にスキャン電極１０２とサステイン電極１０３とが対をなして位置する。後面パネルＲＰの後面基板１１１にスキャン電極１０２及びサステイン電極１０３と交差するようにアドレス電極１１３が配列される。前面パネルＦＰと後面パネルＲＰとは、一定距離を隔てて平行に結合される。
【００３３】
スキャン電極１０２及びサステイン電極１０３の各々は、透明電極１０２ａ、１０３ａとバス電極１０２ｂ、１０３ｂとを備える。上部誘電体層１０４は、スキャン電極１０２及びサステイン電極１０３の放電電流を制限し、電極対間を絶縁させる。保護層１０５は、上部誘電体層１０４の上面に位置し、２次電子を放出する。
【００３４】
後面パネルＲＰの後面基板１１１上には、アドレス放電を起こすためのアドレス電極１１３が位置する。下部誘電体層１１５はアドレス電極１１３を保護し、アドレス電極１１３間を絶縁させる。隔壁１１２は、放電セルを画定する。Ｒ、Ｇ、Ｂ蛍光体１１４は、隔壁１１２、１１２との間に位置し、可視光線を放出する。
【００３５】
図２では、本発明のプラズマディスプレイ装置の駆動要素のうちの一つであるプラズマディスプレイパネル構造の一例のみを示し、説明したものであって、本発明が図５の構造に限定されるものではない。
【００３６】
例えば、図２では、前面パネルＦＰにスキャン電極１０２とサステイン電極１０３とが形成され、後面パネルＲＰにアドレス電極１１３が形成される場合のみを示しているが、これとは異なり、前面パネルＦＰにスキャン電極１０２、サステイン電極１０３、及びアドレス電極１１３を全て形成することもできる。スキャン電極１０２とサステイン電極１０３とは、各々透明電極１０２ａ、１０３ａとバス電極１０２ｂ、１０３ｂとを備えるが、バス電極１０２ｂ、１０３ｂのみを備えることもできる。
【００３７】
図３に示すように、本発明の実施形態に係るプラズマディスプレイ装置は、フレームを構成するサブフィールド毎に画像を表示する。各サブフィールドは、放電セルを初期化させるためのリセット期間、放電セルを選択するためのアドレス期間、及び選択された放電セルから光が放出されるサステイン期間を含む。図３では、一つのフレームが８個のサブフィールドＳＦ１ないしＳＦ８を備えるが、一つのフレームが１０個又は１２個のサブフィールドを備えることもできる。
【００３８】
図４の（ａ）に示すように、図１のスキャン駆動部１１０は、リセット期間にスキャン電極Ｙにサステイン電圧Ｖｓから立ち上がるセットアップパルスＳＵＰ及びグラウンドレベルの電圧ＧＮＤから立ち下がるセットダウンパルスＳＤＰを供給する。セットアップパルスＳＵＰによって放電セル内には弱い暗放電（Dark Discharge）が起こる。セットアップパルスＳＵＰによってアドレス電極Ｘ及びサステイン電極Ｚ上には正極性の壁電荷が蓄積され、スキャン電極Ｙ上には負極性の壁電荷が蓄積される。セットダウンパルスＳＤＰによってスキャン電極Ｙとアドレス電極Ｘとの間に消去放電が起こる。
【００３９】
安定化期間は、第１の安定化期間と第２の安定化期間とを含む。スキャン駆動部１１０は、第１の安定化期間に第１の電圧Ｖ１から第２の電圧Ｖ２まで立ち下がる第１の立ち下がりパルスＦＤＰ１をスキャン電極Ｙに供給する。第１の立ち下がりパルスＦＤＰ１によってスキャン電極Ｙとサステイン電極Ｚとの間に形成された壁電荷を一定量消去する。
【００４０】
第１の立ち下がりパルスＦＤＰ１は矩形波であり得る。第１の立ち下がりパルスＦＤＰ１の第１の電圧Ｖ１のレベルは、アドレス期間の間、スキャン電極Ｙに印加されるスキャン基準電圧−Ｖｓｃ１のレベルと実質的に同じであり得る。スキャン基準電圧−Ｖｓｃ１のレベルは、−９０Ｖ以上−７０Ｖ以下であり得る。立ち下がりパルスＦＰＤの第２の電圧Ｖ２のレベルは、アドレス期間の間、スキャン電極Ｙに供給されるスキャンパルスＳｃａｎの最低電圧−Ｖｗのレベルと実質的に同じであり得る。第１の立ち下がりパルスＦＤＰ１の第２の電圧Ｖ２のレベルは、−２１０Ｖ以上−１９０Ｖ以下であり得る。第１の立ち下がりパルスＦＤＰ１の幅ｗ１はスキャンパルスＳｃａｎの幅ｗ２と実質的に同じであるか、又は大きくてもよい。立ち下がりパルスの幅ｗ１は、１μｓ以上１０μｓ以下であり得る。
【００４１】
第１の立ち下がりパルスＦＤＰ１が供給される間、図１のサステイン駆動部１２０はサステイン電極Ｚに第５の電圧Ｖ５を供給する。本発明の実施形態における第５の電圧Ｖ５のレベルは、バイアス電圧Ｖｚのレベルと実質的に同じであり得る。本発明の実施形態における第５の電圧Ｖ５のレベルは、８０Ｖ以上１００Ｖ以下であり得る。本発明の実施形態における第５の電圧のレベルは、第１の立ち上がりパルスＲＰ１が供給されるとき、サステイン電極Ｚに供給される第６の電圧Ｖ６のレベルより高くてもよい。
【００４２】
本発明の実施形態においてスキャン駆動部１１０は、第１の立ち下がりパルスＦＤＰ１が供給された後、スキャン電極Ｙに第３の電圧Ｖ３から第４の電圧Ｖ４まで次第に立ち上がる第１の立ち上がりパルスＲＰ１を供給することができる。第３の電圧Ｖ３のレベルは、スキャン基準電圧−Ｖｓｃ１のレベルと実質的に同じであり得る。第４の電圧Ｖ４のレベルは、サステインパルスＳｕｓの最高電圧Ｖｓのレベルと実質的に同じであり得る。本発明の実施形態における第４の電圧Ｖ４のレベルは、１５０Ｖ以上２５０Ｖ以下であり得る。第４の電圧Ｖ４のレベルは、１５０Ｖ以上２５０Ｖ以下である場合、スキャン電極Ｙとサステイン電極Ｚとに安定的なアドレス放電を起こすことができる壁電荷が放電セル内に均一に残留する。
【００４３】
第１の立ち上がりパルスＲＰ１が供給される間、サステイン駆動部１２０はサステイン電極Ｚにグラウンドレベルの第６の電圧Ｖ６を供給することができる。
【００４４】
スキャン駆動部１１０は、アドレス期間においてスキャンパルスＳｃａｎをスキャン電極Ｙに供給し、データ駆動部１５０は、アドレス電極ＸにデータパルスＤＰを供給する。ハイレベルのデータパルスＤＰとスキャンパルスＳｃａｎとによってアドレス放電が発生する。また、サステイン駆動部１２０は、アドレス期間にスキャン電極Ｙとアドレス電極Ｘとのアドレス放電を円滑にするために、バイアス電圧Ｖｚを供給する。
【００４５】
スキャン駆動部１１０とサステイン駆動部１２０は、サステイン期間にスキャン電極Ｙとサステイン電極Ｚとに交番的にサステインパルスＳｕｓを供給する。これにより、アドレス期間から選択された放電セルにおいてサステイン放電が発生する。
【００４６】
サステイン駆動部１２０は、消去期間において消去パルスＥＲＰを供給する。これにより、放電セル内に残留する壁電荷が消去される。
【００４７】
図４の（ａ）のリセット期間においてセットダウンパルスＳＤＰが供給されると、図４の（ｂ）の左側に示されているように、スキャン電極Ｙに負極性の壁電荷−が形成され、アドレス電極Ｘに正極性の壁電荷＋が生じる。
【００４８】
図４の（ａ）の第１の立ち下がりパルスＦＤＰ１が供給されると、図４の（ｂ）の中央に示されているように、スキャン電極Ｙの負極性の壁電荷−の一部と、アドレス電極Ｘの正極性の壁電荷＋の一部とが消去される。
【００４９】
図４の（ａ）の第１の立ち上がりパルスＲＰ１が供給されると、図４の（ｂ）の右側に示されているように、スキャン電極Ｙとサステイン電極Ｚとにアドレス放電が安定に起こり得る程度の壁電荷が均一に残留する。したがって、アドレス放電の際、輝点の誤放電が防止される。
【００５０】
図５に示すように、本発明の実施形態に係るプラズマディスプレイ装置の駆動信号の第２の波形のリセット期間、サステイン期間、消去期間に供給される駆動パルスは、図４の（ａ）の駆動パルスと同じである。
【００５１】
スキャン駆動部１１０は、図５の第１の安定化期間において第１の電圧Ｖ１から第２の電圧Ｖ２まで立ち下がる第１の立ち下がりパルスＦＤＰ１をスキャン電極Ｙに供給することができる。図４の（ａ）の第１の電圧Ｖ１は負極性電圧であったが、図５の第１の電圧Ｖ１は正極性電圧である。図５の第１の電圧Ｖ１のレベルは、アドレス期間のスキャン基準電圧Ｖｓｃ２のレベルと実質的に同じであり得る。図５の第１の電圧Ｖ１のレベルは、５０Ｖ以上８０Ｖ以下であり得る。図５の第２の電圧Ｖ２のレベルは、−７０Ｖ以上−４０Ｖ以下であり得る。また、第１の立ち上がりパルスＲＰ１の第３の電圧のレベルは、−１０Ｖ以上１０Ｖ以下であり得る。これにより、アドレス電極Ｘに蓄積された壁電荷の量によって適切に壁電荷を消去することができるようになる。
【００５２】
図６に示すように、本発明の実施形態に係るプラズマディスプレイ装置の駆動信号の第３の波形のリセット期間、サステイン期間、消去期間に供給される駆動パルスは、図４の（ａ）の駆動パルスと同じである。
【００５３】
図６の第１の安定化期間においてスキャン駆動部１１０は、第１の立ち下がりパルスＦＤＰ１と第１の立ち上がりパルスＲＰ１とを供給する。図６の第１の電圧Ｖ１及び第３の電圧Ｖ３のレベルは、−１０Ｖ以上１０Ｖ以下であり得る。これにより、アドレス電極Ｘに蓄積された壁電荷の量によって適切に壁電荷が消去され得る。
【００５４】
図７に示すように、スキャン駆動部１１０は、第１の立ち下がりパルスＦＤＰ１と第１の立ち上がりパルスＲＰ１とを第１の安定化期間及び第２の安定化期間においてスキャン電極Ｙに供給する。第１の立ち下がりパルスＦＤＰ１の第１の電圧Ｖ１と第１の立ち上がりパルスＲＰ１の第３の電圧Ｖ３とのレベルは、スキャン基準電圧−Ｖｓｃ１のレベルと実質的に同じである。スキャン基準電圧−Ｖｓｃ１のレベルは−９０Ｖ以上−７０Ｖ以下であり得る。第１の立ち下がりパルスＦＤＰ１の第２の電圧Ｖ２のレベルは、スキャンパルスＳｃａｎの最低電圧レベル−Ｖｗと実質的に同じであり得る。第１の立ち下がりパルスＦＤＰ１の第２の電圧Ｖ２のレベルは、−２１０Ｖ以上−１９０Ｖ以下であり得る。第１の立ち下がりパルスＦＤＰ１の幅ｗ１は、スキャンパルスＳｃａｎの幅ｗ２と実質的に同じであるか、又は大きくてもよい。第１の立ち下がりパルスＦＤＰ１の幅ｗ１は、１μｓ以上１０μｓ以下であり得る。
【００５５】
図７の第１の立ち下がりパルスＦＤＰ１の幅ｗ１と第２の電圧Ｖ２のレベルとは、スキャン電極Ｙの負極性の壁電荷とアドレス電極Ｘの正極性の壁電荷とのうちの一部を適切に消去することができる。
【００５６】
第１の立ち下がりパルスＦＤＰ１が供給された後、スキャン駆動部１１０は、矩形波の第１の立ち上がりパルスＲＰ１を供給することができる。第１の立ち上がりパルスＲＰ１の第３の電圧Ｖ３のレベルは、スキャン基準電圧−Ｖｓｃ１のレベルと実質的に同じであり得る。また、第１の立ち上がりパルスＲＰ１の第４の電圧Ｖ４のレベルは、サステイン電圧Ｖｓと実質的に同じであり得る。第４の電圧Ｖ４のレベルは、１５０Ｖ以上２５０Ｖ以下であり得る。
【００５７】
サステイン駆動部１２０は、第２の安定化期間において第１の立ち上がりパルスＲＰ１と交番されるように、第２の立ち上がりパルスＲＰ２をサステイン電極Ｚに供給する。第２の立ち上がりパルスＲＰ２の最高電圧レベルは、サステイン電圧Ｖｓのレベルと実質的に同じであり得る。第２の立ち上がりパルスＲＰ２の最高電圧レベルは、１５０Ｖ以上２５０Ｖ以下であり得る。第２の立ち上がりパルスＲＰ２の幅ｗ３は、立ち下がりパルスの幅ｗ１及び第１の立ち上がりパルスＲＰ１の幅ｗ４より更に小さくてもよい。第２の立ち上がりパルスＲＰ２の幅ｗ３は、５０ｎｓ以上５００ｎｓ以下であり得る
【００５８】
図８の（ａ）に示すように、リセット期間のセットダウン期間の間、スキャン電極Ｙに負極性の壁電荷−が生じ、アドレス電極Ｘに正極性の壁電荷＋が生じる。
【００５９】
図８の（ｂ）に示すように、スキャン電極Ｙに第１の立ち下がりパルスＦＤＰ１が供給されると、スキャン電極Ｙの負極性の壁電荷−とアドレス電極Ｘの正極性の壁電荷＋とのうちの一部が消去される。
【００６０】
図８の（ｃ）に示すように、スキャン電極Ｙに第１の立ち上がりパルスＲＰ１が供給され、サステイン電極Ｚに第２の立ち上がりパルスＲＰ２が供給されると、スキャン電極Ｙとサステイン電極Ｚとに過渡に形成された壁電荷のうちの一部が消去される。
図８の（ｄ）に示すように、スキャン電極Ｙとサステイン電極Ｚとには、アドレス放電が安定に起こり得る程度の壁電荷が放電セル内に均一に残留する。したがって、アドレス放電の際、輝点の誤放電が防止される。
【００６１】
図９の第５の波形は、図７の第４の波形とリセット期間、サステイン期間、及び消去期間において同じである。
【００６２】
同図に示された第１の立ち下がりパルスＦＤＰ１の第１の電圧Ｖ１の電圧レベルは、正極性のスキャン基準電圧Ｖｓｃ２のレベルと実質的に同じである。第１の電圧Ｖ１の電圧レベルは、５０Ｖ以上８０Ｖ以下であり得る。第１の立ち下がりパルスＦＤＰ１の第２の電圧Ｖ２のレベルは、−７０Ｖ以上−４０Ｖ以下であり得る。第１の立ち上がりパルスＲＰ１の第３の電圧Ｖ３のレベルは、−１０Ｖ以上１０Ｖ以下であり得る。図９の第２の立ち上がりパルスＲＰ２は、図７の第２の立ち上がりパルスＲＰ２と同じであるため、詳細な説明を省略する。
【００６３】
図１０の第６の波形は、図７の第４の波形とリセット期間、サステイン期間、及び消去期間において同じである。
【００６４】
同図の第１の立ち下がりパルスＦＤＰ１の第１の電圧Ｖ１のレベルは、−１０Ｖ以上１０Ｖ以下であり得る。第１の立ち下がりパルスＦＤＰ１の第２の電圧Ｖ２のレベルは、−７０Ｖ以上−４０Ｖ以下であり得る。第１の立ち上がりパルスＲＰ１の第３の電圧Ｖ３のレベルは、−１０Ｖ以上１０Ｖ以下であり得る。
【００６５】
図１１のリセット期間、サステイン期間、及び消去期間における波形は、図４の（ａ）の第１の波形と同じであるため、詳細な説明を省略する。また、図１１の第１の安定化期間及び第２の安定化期間における波形は、図４の（ａ）の第１の波形と同じであるが、図５の第２の波形ないし図１０の第６の波形と同じであり得る。
【００６６】
同図に示すように、データ駆動部１５０は、フレームのサブフィールドのうち、少なくともいずれか一つのサブフィールドのアドレス期間において、第１のアドレス電極群と第２のアドレス電極群とに互いに異なる時点でデータパルスを供給する。例えば、データ駆動部１５０は、サブフィールドＳＦ１のアドレス期間において、第１のアドレス電極群と第２のアドレス電極群とに互いに異なる時点でデータパルスＤＰ１、ＤＰ２を供給し、サブフィールドＳＦ２のアドレス期間において、第１のアドレス電極群と第２のアドレス電極群とに同じ時点でデータパルスＤＰ１、ＤＰ２を供給する。第１のアドレス電極群と第２のアドレス電極群とは互いに異なる電極群である。第１のアドレス電極群は第１のアドレス電極Ｘ１を備え、第２のアドレス電極群は第２のアドレス電極群Ｘ２を備える。第１のアドレス電極群及び第２のアドレス電極群は一つ以上のアドレス電極を備える。
【００６７】
同図のアドレス期間に供給されるデータパルスについて、図１２Ａないし図１４Ｃを介してさらに詳しく説明する。
【００６８】
図１２Ａに示すように、データ駆動部１５０は、アドレス電極Ｘ１〜Ｘｎの配置順序にしたがってスキャン電極Ｙにスキャンパルスが印加される時点より速い時点でデータパルスを順次供給する。これにより、アドレス電極Ｘ１のデータパルスが一番速く供給され、アドレス電極Ｘｎのデータパルスが一番遅く供給される。また、全アドレス電極Ｘ１〜Ｘｎのうちの一部のデータパルスの供給時点はスキャンパルスの供給時点より速い。
【００６９】
図１２Ｂに示すように、データ駆動部１５０は、アドレス電極Ｘ１〜Ｘｎの配置順序にしたがってスキャン電極Ｙにスキャンパルスが印加される時点より遅い時点でデータパルスを順次供給する。これにより、アドレス電極Ｘ１のデータパルスが一番速く供給され、アドレス電極Ｘｎのデータパルスが一番遅く供給される。また、全アドレス電極Ｘ１〜Ｘｎのデータパルスの供給時点はスキャンパルスの供給時点より遅い。
【００７０】
図１２Ｃに示すように、データ駆動部１５０は、アドレス電極Ｘ１〜Ｘｎの逆配置順序にしたがってスキャン電極Ｙにスキャンパルスが印加される時点より速い時点でデータパルスを順次供給する。これにより、アドレス電極Ｘｎのデータパルスが一番速く供給され、アドレス電極Ｘ１のデータパルスが一番遅く供給される。また、全アドレス電極Ｘ１〜Ｘｎのデータパルスの供給時点は、スキャンパルスの供給時点より速い。
【００７１】
図１２Ａ〜図１２Ｃに示されたアドレス電極間に供給されるデータパルスの供給時点の差は実質的に同じであり得る。例えば、アドレス電極Ｘ１のデータパルスの供給時点とアドレス電極Ｘ２のデータパルスの供給時点との差は、アドレス電極Ｘｎ−１のデータパルスの供給時点とアドレス電極Ｘｎのデータパルスの供給時点との差と実質的に同じであり得る。同様に、アドレス電極間に供給されるデータパルスの供給時点の差は異なり得る。
【００７２】
図１３Ａの左側に示すように、データパルスとスキャンパルスとが同じ時点で供給されると、図１３Ａの右側に示すように、アドレス電極Ｘ１ないしＸｎとスキャン電極Ｙとの間のキャパシタンスによるカップリングが増加して大きいノイズが発生する。しかし、図１３Ｂの左側に示すように、データパルスとスキャンパルスとが異なる時点で供給されると、図１３Ｂの右側に示すように、アドレス電極Ｘ１ないしＸｎとスキャン電極Ｙとの間のキャパシタンスによるカップリングが減少してノイズが低減する。
【００７３】
つまり、プラズマディスプレイ装置のアドレス放電を安定させることにより、一つのスキャン駆動部でプラズマディスプレイパネルの全てをスキャニングするシングルスキャン方式の適用が可能である。
【００７４】
図１４Ａ〜図１４Ｃに示すように、データ駆動部１５０は、各々のアドレス電極群Ｘａ、Ｘｂ、Ｘｃ、Ｘｄにスキャンパルスの印加時点と異なる時点でデータパルスを供給する。また、同じアドレス電極群に含まれたアドレス電極の各々のデータパルスの供給時点は互いに同じであり得る。
【００７５】
図１４Ａのように、データ駆動部１５０は、アドレス電極群Ｘａ、Ｘｂ、Ｘｃ、Ｘｄの配置順序にしたがってスキャン電極Ｙにスキャンパルスが印加される時点より速い時点でデータパルスを順次供給する。これにより、アドレス電極群Ｘａのデータパルスが一番速く供給され、アドレス電極群Ｘｄのデータパルスが一番遅く供給される。また、全アドレス電極群Ｘａ、Ｘｂ、Ｘｃ、Ｘｄのうちの一部のアドレス電極群Ｘａ、Ｘｂのデータパルスの供給時点はスキャンパルスの供給時点より速い。
【００７６】
図１４Ｂのように、データ駆動部１５０は、アドレス電極群Ｘａ、Ｘｂ、Ｘｃ、Ｘｄの配置順序にしたがってスキャン電極Ｙにスキャンパルスが印加される時点より遅い時点でデータパルスを順次供給する。これにより、アドレス電極群Ｘａのデータパルスが一番速く供給され、アドレス電極群Ｘｄのデータパルスが一番遅く供給される。また、全アドレス電極群Ｘａ、Ｘｂ、Ｘｃ、Ｘｄのデータパルスの供給時点は、スキャンパルスの供給時点より遅い。
【００７７】
図１４Ｃのように、データ駆動部１５０は、アドレス電極群Ｘａ、Ｘｂ、Ｘｃ、Ｘｄの逆配置順序にしたがってスキャン電極Ｙにスキャンパルスが印加される時点より速い時点でデータパルスを順次供給する。これにより、アドレス電極群Ｘｄのデータパルスが一番速く供給され、アドレス電極群Ｘａのデータパルスが一番遅く供給される。また、全アドレス電極群Ｘａ、Ｘｂ、Ｘｃ、Ｘｄのデータパルスの供給時点は、スキャンパルスの供給時点より速い。
【００７８】
スキャン電極Ｙに印加されるスキャンパルスの供給時点と、各アドレス電極群に印加されるデータパルスの供給時点とが互いに異なると、カップリングが減少してノイズが低減する。
【００７９】
以上で説明したように、第１の安定化期間と第２の安定化期間とにおいて立ち下がりパルス、第１の立ち上がりパルス、及び第２の立ち上がりパルスが供給されると、安定的なアドレス放電がなされる。また、データパルスとスキャンパルスとの供給時点が異なるようになると、データパルスとスキャンパルスとの幅を狭めることができるため、第１の安定化期間と第２の安定化期間とによってサステイン期間が減少されることを防止することができるだけでなく、ノイズの増加を防止することができる。
【００８０】
図１５に示すように、図１のスキャン駆動部１１０は、リセット期間にスキャン電極Ｙにサステイン電圧Ｖｓから立ち上がるセットアップパルスＳＵＰ及びグラウンドレベルの電圧ＧＮＤから立ち下がるセットダウンパルスＳＤＰを供給する。セットアップパルスＳＵＰによって放電セル内には弱い暗放電が起こる。セットアップパルスＳＵＰによってアドレス電極Ｘ及びサステイン電極Ｚ上には正極性の壁電荷が蓄積され、スキャン電極Ｙ上には負極性の壁電荷が蓄積される。セットダウンパルスＳＤＰによってスキャン電極Ｙ及びアドレス電極Ｘに消去放電が起こる。図１のサステイン駆動部１２０は、セットダウンパルスＳＤＰが供給される間、バイアス電圧Ｖｚをサステイン電極Ｚに供給する。
【００８１】
スキャン駆動部１１０は、第１の安定化期間に第７の電圧Ｖ７から第８の電圧Ｖ８まで立ち上がる第３の立ち上がりパルスＲＰ３をスキャン電極Ｙに供給し、第２の安定化期間に第９の電圧Ｖ９から第１０の電圧Ｖ１０まで立ち下がる第２の立ち下がりパルスＦＤＰ２をスキャン電極Ｙに供給する。サステイン駆動部１２０は、第３の立ち上がりパルスＲＰ３及び第２の立ち下がりパルスＦＤＰ２が供給される間、グラウンドレベルの電圧をサステイン電極Ｚに供給する。
【００８２】
図１５の第３の立ち上がりパルスＲＰ３は、図７の第１の立ち上がりパルスＲＰ１と同じ機能を行う。すなわち、第３の立ち上がりパルスＲＰ３は、各放電セルのスキャン電極Ｙとアドレス電極Ｘとに形成された壁電荷を均一にする。第３の立ち上がりパルスＲＰ３以後に供給される第２の立ち下がりパルスＦＤＰ２は、図７の第１の立ち下がりパルスＲＰ１と同じ機能を行う。すなわち、第２の立ち下がりパルスＦＤＰ２は、スキャン電極Ｙとサステイン電極Ｚとの間に形成された壁電荷を一定量消去する。
【００８３】
第７の電圧Ｖ７のレベルは、スキャン基準電圧−Ｖｓｃ１のレベルと実質的に同じであり得る。スキャン基準電圧−Ｖｓｃ１のレベルは、−９０Ｖ以上−７０Ｖ以下であり得る。第８の電圧Ｖ８のレベルは、サステインパルスＳｕｓの最高電圧Ｖｓのレベルと実質的に同じであり得る。本発明の実施形態において、第７の電圧Ｖ７のレベルは、１５０Ｖ以上２５０Ｖ以下であり得る。
【００８４】
第２の立ち下がりパルスＦＤＰ２の第９の電圧Ｖ９のレベルは、アドレス期間の間、スキャン電極Ｙに印加されるスキャン基準電圧−Ｖｓｃ１のレベルと実質的に同じであり得る。第２の立ち下がりパルスＦＰＤ２の第１０の電圧Ｖ２のレベルは、アドレス期間の間、スキャン電極Ｙに供給されるスキャンパルスＳｃａｎの最低電圧−Ｖｗのレベルと実質的に同じであり得る。第２の立ち下がりパルスＦＤＰ２の第１０の電圧Ｖ１０のレベルは、−２１０Ｖ以上−１９０Ｖ以下であり得る。第２の立ち下がりパルスＦＤＰ２の幅ｗ５は、スキャンパルスＳｃａｎの幅ｗ２と実質的に同じであるか、又は大きくてもよい。第２の立ち下がりパルスの幅ｗ５は、１μｓ以上１０μｓ以下であり得る。
第２の立ち上がりパルスＲＰ２の幅ｗ３に関しては先に説明したので、第２の立ち上がりパルスＲＰ２に関する説明は略する。
【００８５】
データ駆動部１５０は、フレームのサブフィールドのうち、少なくともいずれか一つのサブフィールドのアドレス期間において、第１のアドレス電極群と第２のアドレス電極群とに互いに異なる時点でデータパルスを供給する。例えば、データ駆動部１５０は、サブフィールドＳＦ１のアドレス期間において、第１のアドレス電極群と第２のアドレス電極群とに互いに異なる時点でデータパルスＤＰ１、ＤＰ２を供給し、サブフィールドＳＦ２のアドレス期間において、第１のアドレス電極群と第２のアドレス電極群とに同じ時点でデータパルスＤＰ１、ＤＰ２を供給する。第１のアドレス電極群と第２のアドレス電極群とは互いに異なる電極群である。第１のアドレス電極群は第１のアドレス電極Ｘ１を備え、第２のアドレス電極群は第２のアドレス電極Ｘ２を備える。第１のアドレス電極群及び第２のアドレス電極群は、一つ以上のアドレス電極群を備える。
【００８６】
図１５のアドレス期間に供給されるデータパルスだけでなく、図１２Ａないし図１２Ｃ、そして、図１４Ａないし図１４Ｃに示されたデータパルスもやはり供給可能である。
【００８７】
本発明は、上記の実施形態に限定されるものではなく、本発明に係る技術的思想から逸脱しない範囲内で様々な変更が可能であり、それらも本発明の技術的範囲に属する。
【図面の簡単な説明】
【００８８】
【図１】本発明の実施形態に係るプラズマディスプレイ装置を示す図である。
【図２】本発明の実施形態に係るプラズマディスプレイ装置のプラズマディスプレイパネルを示す図である。
【図３】本発明の実施形態に係るプラズマディスプレイ装置の階調表現方法を示す図である。
【図４】本発明の実施形態に係わるプラズマディスプレイ装置の駆動信号の第１の波形を示す図（ａ）と、  駆動信号に応じる壁電荷状態を示す図（ｂ）である。
【図５】本発明の実施形態に係るプラズマディスプレイ装置の駆動信号の第２の波形を示す図である。
【図６】本発明の実施形態に係るプラズマディスプレイ装置の駆動信号の第３の波形を示す図である。
【図７】本発明の実施形態に係るプラズマディスプレイ装置の駆動信号の第４の波形を示す図である。
【図８】本発明の実施形態に係るプラズマディスプレイ装置の駆動信号の第４の波形による壁電荷を示す図である。
【図９】本発明の実施形態に係るプラズマディスプレイ装置の駆動信号の第５の波形を示す図である。
【図１０】本発明の実施形態に係るプラズマディスプレイ装置の駆動信号の第６の波形を示す図である。
【図１１】本発明の実施形態に係るプラズマディスプレイ装置の駆動信号の第７の波形を示す図である。
【図１２Ａ】データパルスとスキャンパルスの供給時点を示す図である。
【図１２Ｂ】データパルスとスキャンパルスの供給時点を示す図である。
【図１２Ｃ】データパルスとスキャンパルスの供給時点を示す図である。
【図１３Ａ】互いに異なる時点で供給されるデータパルスとスキャンパルスの影響を示す図である。
【図１３Ｂ】互いに異なる時点で供給されるデータパルスとスキャンパルスの影響を示す図である。
【図１４Ａ】アドレス電極群に供給されるデータパルスとスキャンパルスの供給時点を示す図である。
【図１４Ｂ】アドレス電極群に供給されるデータパルスとスキャンパルスの供給時点を示す図である。
【図１４Ｃ】アドレス電極群に供給されるデータパルス及びスキャンパルスの供給時点を示す図である。
【図１５】本発明の実施形態に係るプラズマディスプレイ装置の駆動信号の第８の波形を示す図である。
【図１】
2007183648.tif 000003
【図２】
2007183648.tif 000004
【図３】
2007183648.tif 000005
【図４】
2007183648.tif 000006
【図５】
2007183648.tif 000007
【図６】
2007183648.tif 000008
【図７】
2007183648.tif 000009
【図８】
2007183648.tif 000010
【図９】
2007183648.tif 000011
【図１０】
2007183648.tif 000012
【図１１】
2007183648.tif 000013
【図１２Ａ】
2007183648.tif 000014
【図１２Ｂ】
2007183648.tif 000015
【図１２Ｃ】
2007183648.tif 000016
【図１３Ａ】
2007183648.tif 000017
【図１３Ｂ】
2007183648.tif 000018
【図１４Ａ】
2007183648.tif 000019
【図１４Ｂ】
2007183648.tif 000020
【図１４Ｃ】
2007183648.tif 000021
【図１５】
2007183648.tif 000022